(57)【要約】【課題】  捨てコンクリートの上方に浮かせて配置することで耐圧盤と立上りとを一体的に成型可能とするとともに、立上り上面を水平にするように高さの微調整機能を装備した浮かし型枠を提供する。【解決手段】  一定の面積および高さ（深さ）の閉塞空間を形成するための枠体と、枠体の足となる複数のロケットバーと、からなる浮かし型枠であって、枠体は、その閉塞空間側の枠部材にロケットバーを垂直に貫入するための複数からなるネジ溝を削設した貫通孔を形成するとともに、ロケットバーは、枠体の設置高を微調整できるように、貫通孔のネジ溝に螺合着設する構成である。【選択図】  図１
2017166301.tif 000002
【特許請求の範囲】
【請求項１】
一定の面積および高さ（深さ）の閉塞空間(120)を形成するための複数からなる板状の枠体(10)と、前記枠体(10)を一定高に固定設置するための足となる複数のロケットバー(30)と、からなる浮かし型枠(1)において、
前記枠体(10)は、閉塞空間側の枠部材に前記ロケットバー(30)を垂直に貫入するための複数からなるネジ溝(11)を削設した貫通孔(12)を形成するとともに、前記ロケットバー(30)は、前記枠体(10)の設置高が微調整できるように、前記貫通孔(12)のネジ溝(11)に螺合着設することを特徴とする浮かし型枠。
【請求項２】
前記浮かし型枠(1)は、閉塞空間(120)外側にコンクリート(130)を打設することにより側壁と床面を一体打設することを特徴とする請求項１記載の浮かし型枠。
【請求項３】
平行な一定幅の空間を形成するための枠体(10)と、該枠体によって形成された空間端部を塞ぐ閉塞部材(20)と、前記枠体(10)を一定高に固定設置するための足となる複数のロケットバー(30)と、からなる浮かし型枠において、
前記枠体(10)は、その枠体外側の枠部材に前記ロケットバー(30)を垂直に貫入するための複数からなるネジ溝(11)を削設した貫通孔(12)を形成するとともに、前記ロケットバー(30)は、前記枠体(10)の設置高が微調整できるように、前記貫通孔(12)のネジ溝(11)に螺合着設することを特徴とする浮かし型枠。
【請求項４】
建造物の基礎を一体打設するための浮かし型枠(1)が、平行な一定幅の空間を形成するための枠体(10)と、該枠体によって形成された空間端部を塞ぐ閉塞部材(20)と、前記枠体(10)を一定高に固定設置するための足となる複数のロケットバー(30)と、からなり、
前記枠体(10)は、その枠体外側の枠部材に前記ロケットバー(30)を垂直に貫入するための複数からなるネジ溝(11)を削設した貫通孔(12)を形成するとともに、前記ロケットバー(30)は、前記枠体(10)の設置高が微調整できるように、前記貫通孔(12)のネジ溝(11)に螺合着設することを特徴とする浮かし型枠。
【請求項５】
前記ロケットバー(30)は、頭部(32)と、ネジ部(34)と、円筒部(36)とからなり、少なくとも捨てコンクリートの表面と浮かし型枠の上端までの長さからなるとともに、前記円筒部(36)の直径は、ネジ部(34)の外径よりやや細径に形成されることを特徴とする請求項１乃至請求項請求項４の何れかに記載の浮かし型枠。
【発明の詳細な説明】
【技術分野】
【０００１】
本発明は、コンクリートを打設して建造物の基礎や地下室等のコンクリート構造物を成形するための型枠に関し、特に、耐圧盤と立上りとを間隔なく一体的に打設できるようにするために、コンクリート打設時に捨てコンクリートの上方に浮かせて配置させる浮かし型枠に関する
【背景技術】
【０００２】
従来より、建造物の基礎を構成するための様々な装置や機器が開発されており、建築現場では、広く一般的に使用されている。近年では、建造物の基礎を強固かつ効率的に形成することを目的とする機器が多数開発され普及している。
【０００３】
建造物の基礎は、建造物の重量を支えて安定させるために設ける建物の最下部の構造であり、上部構造からの荷重を地盤に伝える役割を果たすものである。これにより、建造物が傾いたり歪んだりすることを防ぎ、安定した状態を保つことが可能となる。特に、戸建住宅において施工する基礎形状には、べた基礎、布基礎、独立基礎など複数の種類があり、建物の構造や地盤の特性、敷地や施工法の条件等に応じてこれらが選択されている。
【０００４】
例えば、べた基礎を施工する場合、通常は、割栗を敷いた後に防湿シートを敷いて捨てコンクリートを打設し、鉄筋を配筋して耐圧盤のコンクリートの打設を行う。その後、立上りの型枠を設置して高さを合わせてから型枠内にコンクリートを打設することで、基礎を構築する。
【０００５】
この工法によると、耐圧盤のコンクリートの打設と立上りのコンクリート打設とが別工事となり、分けて行う事となるため、構築の寸法の精度があまいと耐圧盤のコンクリートと立上りの接合箇所に隙間やひびが入って密着接合が不十分になる事が考えられ、最悪のケースとして、クラックが生じたり上部構造の荷重を受け止めて地盤に伝える役割を充分に果たすことが出来なくなる虞が考えられた。また、建造物に地下室を設けその耐圧盤と側壁（立上り）を構成する場合には、外圧等から内部を守るため、堅牢にする必要があった。
【０００６】
このような問題を解決するための技術として、特開２０００−３３６６５９号が存在する。ここでは、型枠を保持するセパレータを利用してベタ基礎用のコンクリート打設空間を一体的に形成するための技術として、一対の型枠を対向保持するセパレータを利用し、セパレータを直接支持して型枠を設置面から浮かせた状態で保持することにより、型枠に取り付けられるセパレータ自体によってベタ基礎用のコンクリートの一体打設空間を構築する技術が開示されている。これにより、型枠やセパレータの汎用性や易施工性等を失うことなく、ベースコンクリート部分と立ち上がり部分をコンクリートの一回の打設によって一体的に形成することが可能となる技術が開示されている。
【０００７】
この技術によれば、耐圧盤のコンクリートと立上りのコンクリート打設を分けることなく行う事が可能となるが、型枠の設置時に型枠の水平を保つことが考慮されておらず、型枠を水平に設置することが困難となるという問題点があった。また、地下室等のコンクリート構造物を構成するには、不十分な構成であった。
【０００８】
また、特開２０１５−２１３１４号では、打設された底盤コンクリート上に、下側が開口した断面コ字状のＰＣユニットを、底盤コンクリートとの間に所定の大きさの隙間を空けた状態で、かつ、立上り部分の鉄筋が被覆されるように並置し、この並置されたＰＣユニットの上面に設けられた注入口から流体状の後打ちコンクリートを流し込んで、ＰＣユニットの中空部とＰＣユニットの両側縁部と下縁部に形成された各凹部内に後打ちコンクリートを充填する技術が開示されている。これにより、建築物のベタ基礎工事を簡単かつ効率的に進めることが可能となる技術が開示されている。
【０００９】
しかしながら、この技術では、型枠の設置時に型枠を水平にすることが必ずしも容易になるとは言えず、更に型枠や型枠を浮かす部材の再利用については考慮されていないという問題点があった。また、地下室等のコンクリート構造物を構成するには、不十分な構成であるという問題点があった。
【００１０】
建造物の基礎の構築は効率的である事が望ましいが、建物の荷重を支える重要な構造物であるため、確実な施工により精確で頑丈な基礎を構築することが要求される。また、地下室等のコンクリート構造物は堅牢に構成することが要求される。このような問題点を解消した浮かし型枠の開発が待たれていた。
【特許文献１】特開２０００−３３６６５９号公報
【特許文献２】特開２０１５−２１３１４号公報
【発明の開示】
【発明が解決しようとする課題】
【００１１】
本発明は、上記問題を解決するため、コンクリートを打設して建造物の基礎や地下室等のコンクリート構造物を成形するための型枠であって、捨てコンクリート等の上方に浮かせて配置することで耐圧盤と立上りまたは側壁とを一体的に成型可能とするとともに、立上り上面を水平にするように高さの微調整機能を装備した浮かし型枠を提供する
【課題を解決するための手段】
【００１２】
上記の目的を達成するために本発明に係る浮かし型枠は、一定の面積および高さ（深さ）の閉塞空間を形成するための複数からなる板状の枠体と、前記枠体を一定高に固定設置するための足となる複数のロケットバーと、からなる浮かし型枠であって、前記枠体は、閉塞空間側の枠部材に前記ロケットバーを垂直に貫入するための複数からなるネジ溝を削設した貫通孔を形成するとともに、前記ロケットバーは、前記枠体の設置高が微調整できるように、前記貫通孔のネジ溝に螺合着設する構成である。
また、前記浮かし型枠は、閉塞空間外側にコンクリートを打設することにより側壁と床面を一体打設する構成である。
【００１３】
また、本発明に係る浮かし型枠は、平行な一定幅の空間を形成するための枠体と、該枠体によって形成された空間端部を塞ぐ閉塞部材と、前記枠体を一定高に固定設置するための足となる複数のロケットバーと、からなる浮かし型枠であって、前記枠体は、その枠体外側の枠部材に前記ロケットバーを垂直に貫入するための複数からなるネジ溝を削設した貫通孔を形成するとともに、前記ロケットバーは、前記枠体の設置高が微調整できるように、前記貫通孔のネジ溝に螺合着設する構成でもある。
【００１４】
また、本発明に係る浮かし型枠は、建造物の基礎を一体打設するための浮かし型枠が、平行な一定幅の空間を形成するための枠体と、該枠体によって形成された空間端部を塞ぐ閉塞部材と、前記枠体を一定高に固定設置するための足となる複数のロケットバーと、からなり、前記枠体は、その枠体外側の枠部材に前記ロケットバーを垂直に貫入するための複数からなるネジ溝を削設した貫通孔を形成するとともに、前記ロケットバーは、前記枠体の設置高が微調整できるように、前記貫通孔のネジ溝に螺合着設する構成でもある。
【００１５】
また、前記ロケットバーは、頭部と、ネジ部と、円筒部とからなり、少なくとも捨てコンクリートの表面と浮かし型枠の上端までの長さからなるとともに、前記円筒部の直径は、ネジ部の外径よりやや細径に形成される構成である。
【発明の効果】
【００１６】
本発明は、上記詳述した通りの構成であるので、以下のような効果を奏する。
１．複数のロケットバーを設けたため、枠体の足となって枠体を浮かした状態で設置することが可能となる。また、枠体外側面にネジ溝を削設した貫通孔を形成しロケットバーを螺合着設する構成としたため、ロケットバーを上からインパクトレンチ等で回転させるだけで枠体の設置高の微調整を行う事が可能となり、建造物の基礎を構成する際に、耐圧盤と立上りの一体打設を行うことが可能となる。
２．浮かし型枠が形成する閉塞空間外側にコンクリートを打設する構成としたため、地下室を構成する際に、耐圧盤と立上りのコンクリートを同時に打設することが可能となる
【００１７】
３．枠体と閉塞部材とからなる型枠をロケットバーで浮かせるため、コンクリート上に立上りを容易に立設することが可能となる。特に、地下室内の壁と耐圧盤を一体打設する事が可能となる。
４．枠体と閉塞部材とからなる型枠をロケットバーで浮かせる構成としたため、枠体を浮かした状態で設置するとともに、枠体の設置高を微調整することが可能となる。
【００１８】
５．ロケットバーにネジ部を設けるとともに円筒部を設けるとともに、円筒部の直径をネジ部の外径よりやや細径に形成したため、枠体外側面に設けた貫通孔にロケットバーを嵌入設置しやすくなるとともに、枠体の設置高を微調整することが可能となる。
【発明を実施するための最良の形態】
【００１９】
以下、本発明に係る浮かし型枠を、図面に示す実施例に基づいて詳細に説明する。
図１は、本発明に係る浮かし型枠の斜視図であり、図２は、浮かし型枠の設置例を示す図である。図３は、ロケットバーの使用状態を示す図であり、図４は、ロケットバーと細長凸状枠部材の接続部分の拡大図である。図５は、アンカーボルト固定金物の斜視図であり、図６は、足元固定セパレータの正面図である。図７は、下部セパレータを接続した状態の浮かし型枠の斜視図であり、図８ａは、浮かし型枠の形状の例（Ｌ型）を示す図である。図８ｂは、浮かし型枠の形状の例（Ｔ型）を示す図であり、図８ｃは、浮かし型枠の形状の例（延長型枠）を示す図である。図９は、浮かし型枠の使用状態を示す図であり、図１０は、地下室を構築する場合の浮かし型枠を示す図である。図１１は、地下室を構築する場合の浮かし型枠の使用状態を示す図である。
【００２０】
本発明の浮かし型枠１は、図１０に示す実施例のように、枠体１０と、枠体１０を支持する複数のロケットバー３０とからなり、図１１に示すように、枠体１０を組み合わせることによって形成される型枠が複数のロケットバー３０に支持されることにより、型枠が浮いた状態でコンクリートの床面（耐圧盤）と側壁（立上り）を一体打設するための型枠として使用される構成である。本実施例に係る浮かし型枠１は、例えば建造物の地下室を構築する際において、地下室の外枠を形成する際に用いることが可能である。
【００２１】
枠体１０は、一定の面積および高さ（深さ）の閉塞空間１２０を形成するための部材であり、図１１に示すように、複数からなる板状の枠体１０によって取り囲まれた閉塞空間が構成されるように設置される。枠体１０の大きさや高さは、構成する壁面の高さや面積に応じて適宜選択する事が可能である。枠体１０は、本実施例では木製となっているが、これに限定されるものではなく、運搬容易であってかつ複数回の使用に耐え得る強度を有する素材であれば、適宜選択して使用することが可能である。
【００２２】
ロケットバー３０は、閉塞空間１２０を形成した枠体１０を捨てコンクリート１１０上の一定の高さの位置に固定設置するための足となる部材であり、図３および図１０に示すように、一定の長さを有する細長い棒状部材からなる。ロケットバー３０は、本実施例では、鉄で構成されているが、強度を十分に確保できる材質であれば、鉄に限らず適宜選択して使用することが可能である。また、ロケットバー３０の長さは、壁面（立上げ）の高さに応じて適宜選択することが可能となっている。
【００２３】
枠体１０およびロケットバー３０によって構成される浮かし型枠１は、図１１に示すように複数からなる枠体１０によって四角形の閉塞空間１２０を構成する形状であるが、この形状に限らず、構成する空間の形状に応じて枠体１０を組み合わせて構成する事が可能である。
【００２４】
枠体１０は、図１０に示すように、閉塞空間１２０側の面に複数からなる貫通孔１２を形成する構成となっている。貫通孔１２は、ロケットバー３０を垂直に貫入するための孔であり、貫通孔１２の内壁にはネジ溝１１が削設される構成となっている。図３、図４および図１０に示すように、本実施例では、貫通孔１２は、枠体１０の閉塞空間１２０側の面上に複数本水平に設置される細長凸状枠部材１４に、ロケットバー３０を垂直に設置するように平行に設置された細長凸状枠部材１４間の対応する位置に削設される構成である。
【００２５】
貫通孔１２は、削設位置から一定の間隔をあけた位置に予備の貫通孔１２を削設する事が可能である。これにより、浮かし型枠１を捨てコンクリート１１０上に設置する際に、ロケットバー３０が鉄筋に干渉して浮かし型枠１を常設の孔の位置で設置できない場合でも、予備の貫通孔１２を用いることで浮かし型枠１を設置することが可能となる。
【００２６】
ロケットバー３０は、本実施例では、枠体１０の貫通孔１２のネジ溝１１に螺合着設する構成である。ロケットバー３０には、後述するように、ネジ溝１１に対応する溝（ネジ部３４）が削設されているため、ロケットバー３０を回転させて貫通孔１２に螺設することにより、ロケットバー３０を一定の高さで固定することが可能となる。更に、ロケットバー３０を回転させることにより、突出する長さを細かく調整することで枠体１０の設置高を微調整することが可能となり、枠体１０を正確に水平設置することが可能となった。またこれにより、枠体１０が形成する壁面の上部を精確に水平となるよう調整することが可能となった。
【００２７】
本実施例では、インパクトレンチを用いてロケットバー３０を回転させて突出長を調整している。従来は、枠体の高さ調整は枠体下部に設けられるボルト等を横から回転させる構造であったため、手動でスパナ等を用いてボルトを回転させて高さ調整を行う必要があり、作業効率が極めて悪いという問題点があった。本発明の構成とすることにより、図３に示すように、ロケットバー３０を上から回転させることが可能となり、素早く枠体１０の設置高を調整することが可能となった。以上の構成とすることにより、例えば建造物の地下室を構築する際において、地下室の外枠を形成する施工時の効率が上がるとともに、容易に施工することが可能となった。
【００２８】
本発明の浮かし型枠１は、図１に示す実施例のように、一対の枠体１０と、枠体１０に設置する閉塞部材２０と、枠体１０を支持する複数のロケットバー３０と、からなり、図２および図９に示すように、枠体１０と閉塞部材２０で形成される型枠が複数のロケットバー３０に支持されることにより浮いた状態でコンクリートの床面と壁面を一体打設するための型枠として使用される構成であり、あらゆるコンクリートの床と壁を形成する際に用いる事が可能であるが、特に、耐圧盤と立上りとからなる建造物の基礎を成形する際に用いる事が可能な浮かし型枠である。また、地下室を構成する場合にあっては、地下室の内部に設置する壁を構成する際に使用する事が可能である。
【００２９】
枠体１０は、平行な一定幅の空間を形成するための部材であり、図１に示すように、複数の枠体１０が平行に向かい合うように設置される構成となっている。枠体１０は、本実施例では木製となっているが、これに限定されるものではなく、運搬容易であってかつ複数回の使用に耐え得る強度を有する素材であれば、適宜選択して使用することが可能である。
【００３０】
閉塞部材２０は、枠体１０によって形成された空間に出来る端部の開口部分を塞ぐための部材であり、図１に示すように、基本的に複数の閉塞部材２０が使用される。この閉塞部材２０が枠体１０に接続されることより、強固な型枠が形成されることになる。閉塞部材２０は、本実施例では木製となっているが、これに限定されるものではなく、運搬容易であってかつ複数回の使用に耐え得る強度を有する素材であれば、適宜選択して使用することが可能である。
【００３１】
ロケットバー３０は、接続された枠体１０と閉塞部材２０を捨てコンクリート１１０上の一定の高さの位置に固定設置するための足となる部材であり、図１および図３に示すように、一定の長さを有する細長い棒状部材からなる。ロケットバー３０は、本実施例では、鉄で構成されているが、強度を十分に確保できる材質であれば、鉄に限らず適宜選択して使用することが可能である。また、ロケットバー３０の長さは、立上げの高さに応じて適宜選択することが可能となっている。
【００３２】
枠体１０と閉塞部材２０およびロケットバー３０によって構成される浮かし型枠１の基本形状は、図１に示すように一対の枠体１０が対向するＩ型であるが、本実施例では、図８ａおよび図８ｂに示すように、その他にＬ型やＴ型に形成した構成とすることはもちろん可能である。更に図８ｃに示すように、延長型枠を形成した構成とすることも可能である。この構成とすることにより、あらゆる形状の基礎に対応可能となり、様々な建造物に本発明に係る浮かし型枠１を使用することが可能となる。
【００３３】
枠体１０は、側面部分に複数からなる貫通孔１２を形成する構成となっている。貫通孔１２は、ロケットバー３０を垂直に貫入するための孔であり、貫通孔１２の内壁にはネジ溝１１が削設される構成となっている。図１、図３および図４に示すように、本実施例では、貫通孔１２は枠体１０の上端および下端の外側に設置された細長凸状枠部材１４に削設される。貫通孔１２はロケットバー３０を枠体１０の長手方向に対して垂直に設置するように上下の細長凸状枠部材１４の対応する位置に削設される。
【００３４】
貫通孔１２は、複数設ける際に、例えば細長凸状枠部材１４の左右両端から一定の位置に削設される。すなわち、対向する枠体１０に設置されるロケットバー３０が相互に正確に向かい合う位置に設置される構成となっている。これにより、枠体１０が複数のロケットバー３０によって支持される際に、傾いたり倒れたりすることを防止でき、枠体１０の安定性が増すこととなるとともに、対向するロケットバー３０同士の距離を一定にすることで、立上りの幅を正確に均一化することが可能となる。
【００３５】
なお、貫通孔１２は、上記位置からさらに一定の間隔をあけた位置に予備の貫通孔１２を削設するのが望ましい。これにより、浮かし型枠１を捨てコンクリート１１０上に設置する際に、ロケットバー３０が鉄筋に干渉して浮かし型枠１を常設の孔の位置で設置できない場合が生じても、予備の貫通孔１２を用いることで、正しい位置に浮かし型枠１を設置することが可能となる。
【００３６】
ロケットバー３０は、本実施例では、枠体１０の貫通孔１２のネジ溝１１に螺合着設する構成である。ロケットバー３０には、後述するように、ネジ溝１１に対応する溝（ネジ部３４）が削設されているため、ロケットバー３０を回転させて貫通孔１２に螺設することにより、ロケットバー３０を一定の高さで固定することが可能となる。更に、ロケットバー３０を回転させることにより、突出長を細かく調整可能であるため、枠体１０の設置高を微調整することが可能となり、枠体１０を正確に水平に設置することが可能となった。
【００３７】
本実施例では、インパクトレンチを用いてロケットバー３０を回転させて突出長を調整している。従来は、枠体の高さ調整は枠体下部に設けられるボルト等を横から回転させる構造であったため、手動でスパナ等を用いてボルトを回転させて高さ調整を行う必要があり、作業効率が極めて悪いという問題点があった。本発明の構成とすることにより、図３に示すように、ロケットバー３０を上から回転させることが可能となり、素早く枠体１０の設置高を調整することが可能となり、効率のよいコンクリートの床と壁を形成が可能となり、特に、耐圧盤と立上りとからなる建造物の基礎を形成する際の効率を上げる事が可能となった。
【００３８】
ロケットバー３０は、図３に示すように、頭部３２とネジ部３４と円筒部３６によって構成されている。頭部３２は、インパクトレンチ等でロケットバー３０を回転させるため、本実施例では断面６角形からなるボルト形状からなる構成であるがこれに限定されることはなく断面３角形や断面４角形を含め、あらゆる形状のボルトを適宜選択することが可能である。また、ネジ部３４はらせん状の溝であり、頭部３２の直下に設けられる。この溝がネジ溝１１と螺合接続する構成である。
【００３９】
円筒部３６は、ネジ部３４の直下に設けられるものであり、浮かし型枠１の足となる部分である。円筒部３６は円筒状で表面に溝が削設されることなく平面上となっている。これにより、ネジの螺合は必要な個所のみに制限されるため、ロケットバー３０を貫通孔１２に設置する時間の短縮を図ることが可能となった。
【００４０】
ロケットバー３０は、一定の面積および高さ（深さ）の閉塞空間１２０を形成するための浮かし型枠を構成する場合、上側に設置される細長凸状枠部材１４から突出する遊び部分を設ける構成とする事が望ましい。また、建造物の基礎を構成する場合など、平行な一定幅の空間を形成するための浮かし型枠を構成する場合には、少なくとも捨てコンクリート１１０の表面と浮かし型枠１の上端までの長さからなる構成とする事が可能である。可能であれば、遊び部分を設けるため浮かし型枠１の上端からはみ出る程度の長さからなることが望ましい。これにより、枠体１０の設置高の調整に余裕ができ、より細かい高さ調整を行うことが可能となる。
【００４１】
円筒部３６の直径は、図４に示すように、ネジ部３４の外径よりやや細径に形成される構成となっている。これにより、円筒部３６が貫通孔１２に引っかからずにスムーズに挿入することが可能となる。より詳細には、通常ネジ山は、ボルトの母材から削成されるため、ナットにはボルトの母材部分は通らないのが通常である。
【００４２】
本実施例では、ロケットバー３０の円筒部３６を貫通孔１２と略同径とし、さらに、ロケットバー３０のネジ部３４のネジキリ部をさらう加工を行うことにより、ロケットバー３０を貫通孔１２に挿入する際に、円筒部３６では貫通孔１２を貫通し、ネジ部３４では貫通孔１２のネジ溝１１に係る仕組みを構成することが可能となった。
【００４３】
閉塞部材２０は、枠体１０に着脱自在に設置される構成となっている。閉塞部材２０は、本実施例では、枠体１０とボルトで接続固定される構成であり、枠体１０に設けられたボルト受金具（図示せず）にボルトを螺設することで固定する。これにより、枠体１０と閉塞部材２０は何れも本実施例では木製であるが、ボルトの複数回の着脱が行われても枠体１０と閉塞部材２０が破損することがなくなるため、浮かし型枠１を容易に構築・分解することが可能となり、型枠を繰り返し使用することが可能となった。
【００４４】
本発明に係る浮かし型枠１は、建造物の基礎を構成する場合など、平行な一定幅の空間を形成するための浮かし型枠を構成する場合、図５に示す上部セパレータ４０を設置した構成とすることが可能である。上部セパレータ４０は、対向する枠体１０を固定する役割を果たす部材であり、浮かし型枠１の上端に、枠体１０同士を連結するように設置される。これにより、枠体上部の幅を安定させることが可能となるため、枠体１０の幅が固定され、一定幅の立上りを形成することが可能となる。
【００４５】
本発明に係る浮かし型枠１は、さらに足元固定セパレータ５０を設置する構成とすることが可能である。足元固定セパレータ５０は、図６に示すように、２か所の切り欠き部５２が削設された細長板状部材であり、対向するロケットバー３０に切り欠き部５２が嵌設される構成である。本実施例では、足元固定セパレータ５０は、枠体１０の下部の対峙する各ロケットバー３０の円筒部３６同士を接続するように設置される。
【００４６】
浮かし型枠１の下部に突出するロケットバー３０を捨てコンクリート１１０上に設置する際に、対向するロケットバー３０間の距離が開く可能性がある。この場合、立上りの幅が一定とならない問題が発生するため、足元固定セパレータ５０を枠体１０の下部のロケットバー３０に設置することで枠体下部のロケットバーの設置幅を固定してロケットバー３０が広がるのを防止し、枠体１０の幅を均一化するとともに設置高を一定にすることを可能とした。更に、型枠解体時にロケットバー３０を簡易的に抜けるように作用するため、基礎の構築の効率を上げることが可能となった。
【００４７】
なお、本実施例では、図７に示すように、更に下部セパレータ６０を設置することが可能である。下部セパレータ６０は、対向する枠体１０の下部を貫通して枠体１０同士を固定するための棒状部材である。これにより、コンクリート打設時等に枠体１０の幅が意図せずに広がることを防止することが可能となり、均一な幅の立上りを構築することが可能となった。
【００４８】
上部セパレータ４０は、枠体１０の幅を固定すると同時にアンカーボルトの設置位置を決定して固定支持する役割を果たすアンカーボルト固定金物４２からなる構成とすることが可能である。浮かし型枠１を捨てコンクリート１１０上に固定設置する際に、予め定めたアンカーボルトの設置位置に上部セパレータ４０（アンカーボルト固定金物４２）を取り付けることで、建設現場でのアンカーボルトの位置出しや設置の手間を削減することが可能となる。すなわち、上部セパレータ４０（アンカーボルト固定金物４２）を設置することにより、枠体上部の幅を安定させると同時にアンカーボルトを固定する位置で支持することが可能となる。すなわち、一定幅からなる浮かし型枠１を設置する際に、予め定めた位置にアンカーボルトを上部セパレータ４０（アンカーボルト固定金物４２）に設置して支持し、コンクリートの硬化によりアンカーボルトを固定することが可能となり、効率の良い基礎の構築が可能となった。また、上部セパレータ４０（アンカーボルト固定金物４２）は、浮かし型枠１の運搬時には持ち手としても活用することが可能であり、更に利便性が増した。なお、アンカーボルトの高さは、本実施例では、ネジを回転させることにより、ミリ単位の調整が可能となっている。
【００４９】
ロケットバー３０は、円筒部３６の適宜の箇所に切欠き周溝部３８を削設した構成とすることが可能である。切欠き周溝部３８は、ロケットバー３０を容易に切断することを可能とする切欠きである。本発明に係る浮かし型枠１を設置後、耐圧盤１００および立上りコンクリートを同時打設して硬化させた後、枠体１を取り外す作業を行うが、ロケットバー３０は、耐圧盤１００に下部が埋設固定されている状態となっている。耐圧盤１００の厚みが例えば１５０ｍｍ程であれば、ロケットバー３０は容易に引き抜くことが可能であるが、３５０ｍｍを超えるとロケットバー３０を引き抜くことが不可能となる。
【００５０】
この際、ロケットバー３０に削設された切欠き周溝部３８部分でロケットバー３０を切断することにより、捨てコンクリート１１０の表面から浮かし型枠１の下端までの部分を切断して耐圧盤１００のコンクリート内に残存させ、容易にロケットバー３０を型枠１の上方へ引き抜いて取り外し、再利用することが可能となる。なお、この際耐圧盤１００のコンクリート内にロケットバー３０下部が残存することになるが、建設作業上では何ら問題はない。
【００５１】
切欠き周溝部３８は、耐圧盤１００の厚みに応じて削設する位置を変えることが可能であるが、ロケットバー３０を耐圧盤１００のコンクリートから引き抜くことが困難になる位置に設けておくことが望ましいため、ロケットバー３０の円筒部３６側端部から頭部３２に向けて３５０ｍｍ位の位置に削設するのが望ましい。
【００５２】
以下、本発明に係る一定の面積および高さ（深さ）の閉塞空間１３０を形成するための浮かし型枠１を用いた建造物の地下室の構築方法を概説する。建造物に地下室を施工する場合において、まず地下室の床（基礎）を構成する掘り下げた敷地に割栗を敷き、捨てコンクリート１１０を打設する。
【００５３】
その後、捨てコンクリート１１０上に鉄筋を配筋する。次に、浮かし型枠１を掘り下げた形状に沿った形に組み立てて捨てコンクリート１１０上に配置し、ロケットバー３０をインパクトレンチを用いて回転させて浮かし型枠１の設置高を調整し、浮かし型枠１が水平となるように（枠体１０が垂直になるように）微調整を行う。なお、浮かし型枠１の設置高は、耐圧盤１００の厚みになる。
【００５４】
この際、枠体１０と閉塞部材２０とロケットバー３０とからなる浮かし型枠１を設置して、地下室内部を仕切るための壁（立上り）を同時に構築する事も可能である。
【００５５】
浮かし型枠１の固定が完了したら、コンクリートの打設作業を行う。このとき、耐圧盤１００と立上り（壁）のコンクリートを同時に打設していく。本実施例では、耐圧盤１００を構成するため、捨てコンクリート１１０上にコンクリートを打設すると同時に、浮かし型枠１の枠体１０の外側に枠体１０と掘り下げた土との間に形成された空間内にコンクリート１３０を打設する。枠体１０と閉塞部材２０とロケットバー３０とからなる浮かし型枠１を設置した場合には、この型枠内にもコンクリート１３０を打設する。これにより、耐圧盤１００と壁面（立上り）を一体打設することが可能となり、頑丈な地下室の外壁を構成することが可能となる。
【００５６】
耐圧盤１００と立上りのコンクリートが硬化したら、浮かし型枠１を再利用のために撤去する。まず、ロケットバー３０を硬化した耐圧盤１００のコンクリートから引き抜く。この際耐圧盤１００の厚みによってはロケットバー３０が引き抜けないため、この場合には、切欠き周溝部３８部分からロケットバー３０を切断する。ロケットバー３０の残存部分は耐圧盤１００のコンクリート内に残留したままとなる。
【００５７】
その後、枠体１０を撤去する。この一連の作業により、耐圧盤１００と立上りを一体打設した建造物の地下室を容易かつ効率的に構成することが可能となる。
【００５８】
次に、本発明に係る浮かし型枠１を用いた建造物の基礎の構築方法を概説する。
べた基礎を施工する場合において、まず基礎を構成する敷地に割栗を敷き、その上に防湿シートを敷く。その後、防湿シート上に捨てコンクリート１１０を打設する。
【００５９】
その後、捨てコンクリート１１０上に鉄筋を配筋する。次に、浮かし型枠１を捨てコンクリート１１０上に配置し、ロケットバー３０をインパクトレンチを用いて回転させて浮かし型枠１の設置高を調整し、水平となるように微調整を行う。なお、浮かし型枠１の設置高は、耐圧盤１００の厚みになる。浮かし型枠１の設置高の調整が完了したら、次にアンカーセット金物と鉄筋を番線を用いて固定する。これにより、コンクリート打設時に浮かし型枠１が浮き上がることやずれることを防止することが可能となる。
【００６０】
浮かし型枠１の固定が完了したら、コンクリートの打設作業を行う。このとき、耐圧盤１００と立上りのコンクリートを同時に打設していく。本実施例では、耐圧盤１００を構成するため捨てコンクリート１１０上にコンクリートを打設すると同時に、浮かし型枠１の枠体１０が形成した空間内にコンクリートを打設する。これにより、耐圧盤１００と立上りを一体打設することが可能となり、頑丈なべた基礎を構成することが可能となる。
【００６１】
耐圧盤１００と立上りのコンクリートが硬直したら、浮かし型枠１を撤去する。まず、ロケットバー３０を硬直した耐圧盤１００のコンクリートから引き抜く。この際耐圧盤１００の厚みによってはロケットバー３０が引き抜けないため、この場合には、切欠き周溝部３８部分からロケットバー３０を切断する。ロケットバー３０の残存部分は耐圧盤１００のコンクリート内に残留したままとする。
【００６２】
その後、ボルトで固定された閉塞部材２０を枠体１０から取り外し、枠体１０を撤去する。この一連の作業により、耐圧盤１００と立上りを一体打設した建造物の基礎を容易かつ効率的に構成することが可能となる。
【００６３】
なお、地下室を構築するための浮かし型枠１と、建造物の基礎を構築する浮かし型枠１を同時に使用し、基礎と地下室を同時に施工することが可能である。これにより、地下室と建造物の基礎を容易に一体化して構築することが可能となる。
【００６４】
以上の構成とすることにより、耐圧盤（床コンクリート）と立上り（側壁）を一体打設する作業が容易となりかつ頑丈な構造とすることが可能となった。従来の技術では、一体打設を行う際に使用する浮かし型枠の下部を支える部材はコンクリート打設後はコンクリート内に残る事となり、再利用することが不可能であった。また、浮かし型枠の設置時に、浮かし型枠を浮かしたり上下させる作業は、浮かし型枠を上下するためのボルトをスパナ等を用いて横から手動で回転させる必要があるが、この作業を行うためのシステムが浮かし型枠の下端に設置されているのが通常であるため、浮かし型枠の設置高の調整時には腰をかがめて横からボルトを手動で回転させて上下調整する重労働が必要となり、極めて作業性が悪いという問題点もあった。施工する浮かし型枠が高く大きくなり、重量が増すと、手動による高さ調整には限界があり、特に地下室などを施工する際に用いる大型の型枠の設置は大変な作業となり、対応できないという問題点があった。
【００６５】
本発明の浮かし型枠１を用いると、型枠を浮かすのに複雑な部材を使わないで済むこととなり、また、型枠を浮かすのに必要な部材（ロケットバー３０等）は再利用できることとなった。また、浮かし型枠１の上下調整は、横からボルトを回転させるのではなく、図３に示すように、上からインパクトレンチ等の電動工具を使ってロケットバー３０を回転させればよいため、腰をかがめないで楽に簡単に作業が出来ることとなり、作業効率を格段に上げることが可能となった。更に、高く、大きく、重量がある浮かし型枠１であっても、ロケットバー３０の数を増やすことで、浮かす作業や上下調整作業も簡単に出来ることとなった。
【図面の簡単な説明】
【００６６】
【図１】本発明に係る浮かし型枠の斜視図
【図２】浮かし型枠の設置例を示す図
【図３】ロケットバーの使用状態を示す図
【図４】ロケットバーと細長凸状枠部材の接続部分の拡大図
【図５】アンカーボルト固定金物の斜視図
【図６】足元固定セパレータの正面図
【図７】下部セパレータを接続した状態の浮かし型枠の斜視図
【図８ａ】浮かし型枠の形状の例（Ｌ型）を示す図
【図８ｂ】浮かし型枠の形状の例（Ｔ型）を示す図
【図８ｃ】浮かし型枠の形状の例（延長型枠）を示す図
【図９】浮かし型枠の使用状態を示す図
【図１０】地下室を構築する場合の浮かし型枠を示す図
【図１１】地下室を構築する場合の浮かし型枠の使用状態を示す図
【符号の説明】
【００６７】
１    浮かし型枠
１０    枠体
１１    ネジ溝
１２    貫通孔
１４    細長凸状枠部材
２０    閉塞部材
３０    ロケットバー
３２    頭部
３４    ネジ部
３６    円筒部
３８    切欠き周溝部
４０    上部セパレータ
４２    アンカーボルト固定金物
５０    足元固定セパレータ
５２    切り欠き部
６０    下部セパレータ
１００    耐圧盤
１１０    捨てコンクリート
１２０    閉塞空間
１３０    コンクリート
【図１】
2017166301.tif 000003
【図２】
2017166301.tif 000004
【図３】
2017166301.tif 000005
【図４】
2017166301.tif 000006
【図５】
2017166301.tif 000007
【図６】
2017166301.tif 000008
【図７】
2017166301.tif 000009
【図８ａ】
2017166301.tif 000010
【図８ｂ】
2017166301.tif 000011
【図８ｃ】
2017166301.tif 000012
【図９】
2017166301.tif 000013
【図１０】
2017166301.tif 000014
【図１１】
2017166301.tif 000015
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
一定の面積および高さ（深さ）の閉塞空間(120)を形成するための複数からなる板状の枠体(10)と、前記枠体(10)を一定高に固定設置するための足となる複数のロケットバー(30)と、からなる浮かし型枠(1)において、
前記枠体(10)は、閉塞空間側の枠部材に前記ロケットバー(30)を垂直に貫入するための複数からなるネジ溝(11)を削設した貫通孔(12)を形成するとともに、
前記ロケットバー(30)は、頭部(32)と、ネジ部(34)と、円筒部(36)とからなり、少なくとも捨てコンクリートの表面と浮かし型枠の上端までの長さからなるとともに、前記円筒部(36)の直径は、ネジ部(34)の外径よりやや細径に形成されており、前記枠体(10)の設置高が微調整できるように、前記貫通孔(12)のネジ溝(11)に螺合着設することを特徴とする浮かし型枠。
【請求項２】
前記浮かし型枠(1)は、閉塞空間(120)外側にコンクリート(130)を打設することにより側壁と床面を一体打設することを特徴とする請求項１記載の浮かし型枠。
【請求項３】
平行な一定幅の空間を形成するための枠体(10)と、該枠体によって形成された空間端部を塞ぐ閉塞部材(20)と、前記枠体(10)を一定高に固定設置するための足となる複数のロケットバー(30)と、からなる浮かし型枠において、
前記枠体(10)は、その枠体外側の枠部材に前記ロケットバー(30)を垂直に貫入するための複数からなるネジ溝(11)を削設した貫通孔(12)を形成するとともに、
前記ロケットバー(30)は、頭部(32)と、ネジ部(34)と、円筒部(36)とからなり、少なくとも捨てコンクリートの表面と浮かし型枠の上端までの長さからなるとともに、前記円筒部(36)の直径は、ネジ部(34)の外径よりやや細径に形成されており、前記枠体(10)の設置高が微調整できるように、前記貫通孔(12)のネジ溝(11)に螺合着設することを特徴とする浮かし型枠。
【請求項４】
建造物の基礎を一体打設するための浮かし型枠(1)が、平行な一定幅の空間を形成するための枠体(10)と、該枠体によって形成された空間端部を塞ぐ閉塞部材(20)と、前記枠体(10)を一定高に固定設置するための足となる複数のロケットバー(30)と、からなり、
前記枠体(10)は、その枠体外側の枠部材に前記ロケットバー(30)を垂直に貫入するための複数からなるネジ溝(11)を削設した貫通孔(12)を形成するとともに、
前記ロケットバー(30)は、頭部(32)と、ネジ部(34)と、円筒部(36)とからなり、少なくとも捨てコンクリートの表面と浮かし型枠の上端までの長さからなるとともに、前記円筒部(36)の直径は、ネジ部(34)の外径よりやや細径に形成されており、前記枠体(10)の設置高が微調整できるように、前記貫通孔(12)のネジ溝(11)に螺合着設することを特徴とする浮かし型枠。
【手続補正２】
【補正対象書類名】明細書
【補正対象項目名】００１２
【補正方法】変更
【補正の内容】
【００１２】
上記の目的を達成するために本発明に係る浮かし型枠は、一定の面積および高さ（深さ）の閉塞空間を形成するための複数からなる板状の枠体と、前記枠体を一定高に固定設置するための足となる複数のロケットバーと、からなる浮かし型枠であって、前記枠体は、閉塞空間側の枠部材に前記ロケットバーを垂直に貫入するための複数からなるネジ溝を削設した貫通孔を形成するとともに、前記ロケットバーは、頭部と、ネジ部と、円筒部とからなり、少なくとも捨てコンクリートの表面と浮かし型枠の上端までの長さからなるとともに、前記円筒部の直径は、ネジ部の外径よりやや細径に形成されており、前記枠体の設置高が微調整できるように、前記貫通孔のネジ溝に螺合着設する構成である。
また、前記浮かし型枠は、閉塞空間外側にコンクリートを打設することにより側壁と床面を一体打設する構成である。
【手続補正３】
【補正対象書類名】明細書
【補正対象項目名】００１３
【補正方法】変更
【補正の内容】
【００１３】
また、本発明に係る浮かし型枠は、平行な一定幅の空間を形成するための枠体と、該枠体によって形成された空間端部を塞ぐ閉塞部材と、前記枠体を一定高に固定設置するための足となる複数のロケットバーと、からなる浮かし型枠であって、前記枠体は、その枠体外側の枠部材に前記ロケットバーを垂直に貫入するための複数からなるネジ溝を削設した貫通孔を形成するとともに、前記ロケットバーは、頭部と、ネジ部と、円筒部とからなり、少なくとも捨てコンクリートの表面と浮かし型枠の上端までの長さからなるとともに、前記円筒部の直径は、ネジ部の外径よりやや細径に形成されており、前記枠体の設置高が微調整できるように、前記貫通孔のネジ溝に螺合着設する構成でもある。
【手続補正４】
【補正対象書類名】明細書
【補正対象項目名】００１４
【補正方法】変更
【補正の内容】
【００１４】
また、本発明に係る浮かし型枠は、建造物の基礎を一体打設するための浮かし型枠が、平行な一定幅の空間を形成するための枠体と、該枠体によって形成された空間端部を塞ぐ閉塞部材と、前記枠体を一定高に固定設置するための足となる複数のロケットバーと、からなり、前記枠体は、その枠体外側の枠部材に前記ロケットバーを垂直に貫入するための複数からなるネジ溝を削設した貫通孔を形成するとともに、前記ロケットバーは、頭部と、ネジ部と、円筒部とからなり、少なくとも捨てコンクリートの表面と浮かし型枠の上端までの長さからなるとともに、前記円筒部の直径は、ネジ部の外径よりやや細径に形成されており、前記枠体の設置高が微調整できるように、前記貫通孔のネジ溝に螺合着設する構成でもある。
【手続補正５】
【補正対象書類名】明細書
【補正対象項目名】００１５
【補正方法】削除
【補正の内容】